(57)【要約】【課題】絞り羽根同士の重なり合いにより発生する絞り位置の光軸に対する変化を抑える。【解決手段】光通過開口に出入りして絞り開口を形成する複数の絞り羽根と、前記絞り羽根を駆動する駆動リングと、前記駆動リングを回転可能に支持し光通過開口を有するベース部材とを備え、前記複数の絞り羽根の羽根先端部が光通過開口内に進入して絞り開口を形成する際に、前記羽根先端部の光通過方向への変位を抑える抑え部材を有することを特徴とする羽根駆動装置。【選択図】図１
2018205477.tif 000002
【特許請求の範囲】
【請求項１】
光通過開口に出入りして絞り開口を形成する複数の絞り羽根と、
前記絞り羽根を駆動する駆動リングと、
前記駆動リングを回転可能に支持し光通過開口を有するベース部材と
を備え、
前記複数の絞り羽根の羽根先端部が光通過開口内に進入して絞り開口を形成する際に、
前記羽根先端部の光通過方向への変位を抑える抑え部材を有することを特徴とする羽根駆動装置。
【請求項２】
前記抑え部材は、光が通過する光学部材であることを特徴とする請求項１に記載の羽根駆動装置。
【請求項３】
前記抑え部材は、前記駆動リングと一体に設けられていることを特徴とする請求項１または２に記載の羽根駆動装置。
【請求項４】
前記ベース部材との間に前記複数の絞り羽根を移動可能に収容するカバー部材を備え、
前記抑え部材は、前記カバー部材であることを特徴とする請求項１に記載の羽根駆動装置。
【請求項５】
前記抑え部材における少なくとも前記複数の絞り羽根に対向する側の表面には、
反射防止、帯電防止または摺動コートのうちの少なくともいずれか１つの表面処理が施されていることを特徴とする請求項１から４のいずれか一項に記載の羽根駆動装置。
【請求項６】
前記抑え部材は、光が通過する光学部位と、該光学部位の外周に設けられた遮光部位とを有することを特徴とする請求項１から５のいずれか一項に記載の羽根駆動装置。
【請求項７】
請求項１から６のいずれか１項に記載の羽根駆動装置を有することを特徴とする光学機器。
【発明の詳細な説明】
【技術分野】
【０００１】
本発明は、撮像装置や交換レンズ等の光学機器に搭載される羽根駆動装置に関する。
【背景技術】
【０００２】
羽根駆動装置（絞り装置）において形成される光通過開口としての絞り開口の形状は、できるだけ円形に近い方が好ましく、円形に近い絞り開口を形成するために３枚以上の多数枚の絞り羽根（光量調節羽根）が用いられる場合が多い。
【０００３】
特許文献１には、ベース部材に形成した固定開口の周囲で回動可能な駆動リングによって多数枚の絞り羽根を回動させることで、円形に近い多角形の絞り開口を形成する虹彩絞り装置が開示されている。
【先行技術文献】
【特許文献】
【０００４】
【特許文献１】特開２０１７−５８４４３号公報
【発明の概要】
【発明が解決しようとする課題】
【０００５】
しかしながら、特許文献１にて開示されているような虹彩絞り装置においては、絞り羽根同士の重なり合いにより絞り羽根の先端が光軸方向に編み上がり、絞り位置が開口面積を変化させるに伴い光軸方向に変化してしまう問題がある。
【０００６】
本発明はこのような事情に鑑みてなされたもので、絞り羽根の編み上がりを抑えるようにし、絞り位置の安定した羽根駆動装置およびこれを備えた光学機器を提供することを目的とする。
【課題を解決するための手段】
【０００７】
上記を鑑み、本発明の羽根駆動装置及び撮像装置は、
光通過開口に出入りして絞り開口を形成する複数の絞り羽根と、
前記絞り羽根を駆動する駆動リングと、
前記駆動リングを回転可能に支持し光通過開口を有するベース部材とを
備え、
前記複数の絞り羽根の羽根先端部が光通過開口内に進入して絞り開口を形成する際に、
前記羽根先端部の光通過方向への変位を抑える抑え部材を有することを特徴とする。
【発明の効果】
【０００８】
本発明によれば、絞り羽根同士の重なり合いにより発生する光軸方向への絞り位置の変化を抑えることができる。
【図面の簡単な説明】
【０００９】
【図１】実施形態１に係る羽根駆動装置の分解斜視図。
【図２】実施形態１の絞り開口の変化を示す正面図（カバー無し）。
【図３】実施形態１に係る羽根駆動装置の斜視図と模式断面図。
【図４】実施形態１の絞り羽根と抑え部材。
【図５】抑え部材がない場合の羽根編み上がり状態。
【図６】抑え部材がない場合の羽根駆動装置を搭載した光学機器。
【図７】本発明の羽根駆動装置を搭載した光学機器。
【図８】実施形態１の羽根駆動装置の拡大断面図。
【図９】実施形態１の羽根駆動装置の他の態様の拡大断面図。
【図１０】実施形態２に係る羽根駆動装置の分解斜視図。
【図１１】実施形態２に係る羽根駆動装置の斜視図。
【図１２】実施形態２の絞り羽根と抑え部材。
【図１３】実施形態２の光学部材の断面図。
【図１４】従来技術の固定開口の断面図。
【図１５】実施形態３に係る羽根駆動装置の分解斜視図。
【図１６】実施形態３に係る羽根駆動装置の斜視図。
【図１７】実施形態３の絞り羽根と抑え部材。
【図１８】実施形態３の駆動リング。
【図１９】実施形態４に係る羽根駆動装置の分解斜視図。
【図２０】実施形態４に係る羽根駆動装置の斜視図。
【発明を実施するための形態】
【００１０】
以下、本発明の実施形態について図面を参照しながら詳細に説明する。
【００１１】
＜実施形態１＞
図１には、本発明の実施形態１である羽根駆動装置の一例である羽根駆動装置としての絞り装置の分解斜視図を示す。図１の（Ａ）、（Ｂ）はそれぞれ異なる方向から見た分解斜視図である。
【００１２】
図１において、羽根駆動装置の光軸中心１００の周囲を絞り装置が駆動される。駆動部１０１は、羽根駆動装置を駆動する駆動源となる。ベース部材１０２は、中央に開口部１０２ａ（光通過開口）が形成されている開口形成部材である。このベース部材１０２は、例えば、本実施形態では、樹脂成型により形成され、複数の係合ピン１０２ｄを有する。また、ベース部材１０２の端部には、駆動部１０１が取り付けられる。この駆動部１０１としては、例えば、ステッピングモータ、ガルバノメータなどが挙げられる。この駆動部１０１の回転軸には、ピニオンギア１０３が取り付けられる。
【００１３】
回動部材１０４は、例えば、本実施形態では、樹脂成型によって形成された円形状のシート状部材であって、その中央部に光が通過する経路となる円形の開口部が形成された開口形成部材（駆動リング）である。
【００１４】
この回動部材１０４は、立設された複数の駆動ピン１０４ｃと、外周端部に設けられて上記ピニオンギア１０３が接続される被駆動部１０４ｅと、外周端部において部分的に突出して設けられた遮光部１０４ｆとを有する。
【００１５】
ここで、この回動部材１０４は、例えば、樹脂フィルム（ＰＥＴシート材等）をプレス加工して作成される。回動部材１０４を樹脂フィルムで作成する場合、回動部材１０４は、薄く作ることができ、且つ、軽く作ることが可能である。また、回動部材１０４を樹脂フィルムで作成した場合、回動部材１０４の作動を案内する部位は、樹脂成形で回動部材を作成した場合に比べて、強度を必要としない。例えば、絞り羽根を案内するような細い案内ピンにて回動部材１０４を案内することが可能である。プレス加工できる場合は、樹脂成形の形状精度に比べて、形状精度を高精度に形成することができるため、絞り精度の高精度が可能になる。勿論、回動部材１０４は、必ずしも薄型シート状部材によって形成しなくても良く、樹脂成型によって形成してもよい。
【００１６】
また、回動部材１０４は、被駆動部１０４ｅであるギア部を有する。この被駆動部１０４ｅは、ピニオンギア１０３と噛み合っている。駆動部１０１で発生した回転力をピニオンギア１０３から被駆動部１０４ｅに伝え、これにより回動部材１０４が回転する。本実施形態では、駆動部１０１の回転力をピニオンギア１０３から回動部材１０４に伝えているが、例えば、ピニオンギアの代わりに駆動レバーを使用してもよい。駆動レバーを使用する場合、回動部材１０４の被駆動部１０４ｅは、カム溝あるいは、被駆動ピン等を用いるとよい。
【００１７】
また、不図示のフォトインタラプタのスリット内を遮光部１０４ｆが出入りすることで、回動部材１０４の位置を検知するセンサの役割を果たす。羽根駆動装置の初期位置等の位置検出に使用する。
【００１８】
絞り羽根１０５は、例えば、本実施形態では、光が通過する開口を取り囲むように複数（９枚）の絞り羽根１０５が環状配列されている。各絞り羽根１０５には、被駆部である係合穴１０５ｃとカム溝１０５ｄがそれぞれ形成される。このような絞り羽根１０５は、例えば、ＰＥＴシート材等をプレス加工して作成してもよいし、樹脂成形等で作成してもよい。
【００１９】
また、本実施形態では、９枚の絞り羽根で構成しているが、絞り羽根の枚数は、２枚以上であれば何枚の構成でもよい。なお、本実施形態では、絞り羽根１０５を例示して説明するが、その他のシャッタ羽根、あるいは光学フィルタを有する羽根など各種適用した羽根駆動装置としてもよい。なお、光が通過する部分の最大開口は、上記ベース部材１０２又はカバー部材１０６の開口部１０６ａで規定してもよいし、複数の絞り羽根１０５の端部によって規定してもよい。
【００２０】
このカバー部材１０６は、ベース部材１０２との間で、上述した複数の絞り羽根１０５及びこれら羽根駆動用の回動部材１０４を収容し、回動部材との間で羽根が走行する羽根室を形成する。すなわち、ベース部材１０２とカバー部材１０６で形成された羽根室（空間）の中を回動部材１０４の回動に伴って複数の絞り羽根１０５が走行（駆動）する。このカバー部材１０６には、上記ベース部材１０２の開口部に連通する開口部１０６ａが形成されており、ベース部材１０２と同様、開口形成部材となる。カバー部材１０６は、樹脂成形等で形成されても良いし、ＰＥＴシート材等をプレス加工して作成されても良い。
【００２１】
絞り羽根１０５の係合穴１０５ｃは、回動部材１０４の駆動ピン１０４ｃに係合する。ピニオンギア１０３が回転し、回動部材１０４の被駆動部１０４ｅに力が伝達され、回動部材１０４が回転する。すると、回動部材１０４の駆動ピン１０４ｃから絞り羽根１０５の係合穴１０５ｃに駆動力が与えられ、絞り羽根１０５が駆動する。このとき、絞り羽根１０５のカム溝１０５ｄは、ベース部材１０２の係合部１０２ｄに係合している。
【００２２】
そのため、カム溝１０５ｄによって、絞り羽根１０５は、ベース部材１０２の開口内外を出入りする。これにより、複数の絞り羽根１０５がベース部材１０２の開口部１０２ａ内で、絞り形状が調整され、光が通過する量を調整することが可能になる。図２は、図１中に示すカバー部材１０６を取り除いた状態を示している。図２（Ａ）は、絞り開放の状態を示し、図２（Ｂ）は、小絞りの状態を示す。
【００２３】
抑え部材１０７は、例えば、光が通過する光学部材（ガラス材等や樹脂フィルム材等）で作成されたりする。実施形態１では平坦なシート状部材で抑え部材１０７を記載しているが、抑え部材１０７は、表面が凹形状や凸形状で形成されるレンズを使用してもよい。抑え部材１０７は、絞り羽根１０５に対して摺接することによって絞り羽根１０５の編み上がりを抑えることができる。
【００２４】
複数の絞り羽根１０５は、羽根先端部がベース部材１０２の方向に編み上がるように環状に組み込まれる。抑え部材１０７は、複数の絞り羽根１０５と隣接するように、絞り羽根１０５の編み上がり方向側に配置させる。そのため、複数の絞り羽根１０５で形成する絞り開口位置は、抑え部材１０７と隣接した位置に安定させることができる。
【００２５】
図１では、絞り羽根１０５の編み上がり方向を回動部材１０４側にして組込み、回動部材１０４側に抑え部材１０７を配置したが、絞り羽根１０５の編み上がり方向をカバー部材１０６側にして組込み、カバー部材１０６側に抑え部材１０７を配置してもよい。いずれにしても、絞り羽根１０５の編み上がり方向に抑え部材１０７を配置することで、編み上がった絞り羽根１０５の先端を抑えることで、絞り羽根１０５の編み上がり量を抑制できる。すなわち、絞り羽根１０５の先端部の光通過方向への変位を抑えることができる。
【００２６】
図１では、抑え部材１０７は、ベース部材１０２に設けられた係合ピン１０２ｄに対して固定した例を示しているが、カバー部材１０６に固定して取り付けてもよい。また、抑え部材１０７は、回動部材１０４に設けられた駆動ピン１０４ｃに対して固定され、回動部材１０４と共に回動させてもよい。この場合、抑え部材１０７における係合部１０２ｄに対応する部分にカム溝を設けて係合部１０２ｄとの干渉を避けるようにする。回動部材１０４と共に回動するように構成した場合には、絞り羽根１０５と抑え部材１０７との摺動距離を短くすることができる。
【００２７】
図３には、実施形態１の斜視図と光軸を含む平面における模式断面図を示す。複数の絞り羽根１０５は、ベース部材１０２の方向に編み上がり、抑え部材１０７により抑えられている。また、断面図に示すように、抑え部材１０７はベース部材１０２の係合部１０２ｄに係合しており、その外周側の部分は、回動部材１０４上の駆動ピン１０４ｃよりも内側の部分と絞り羽根１０５とによって挟持されている。なお、回動部材１０４の内周側の端部は、この図に示すように係合部１０２ｄによって位置決めされている。図４は、複数の絞り羽根１０５と抑え部材１０７の状態のみを抜粋して表した図である。
【００２８】
図５には、抑え部材１０７がない場合の絞り羽根の編み上がり状態を示す。この場合には、小絞り状態に変化するしたがい、絞り羽根先端の編み上がり量が大きくなってしまう。また、複数の絞り羽根１０５で形成する絞り開口位置は、小絞り状態になるほど変化してしまうことが問題であるのに対し、本実施形態１では、抑え部材１０７が絞り羽根１０５の編み上がりを抑え込むため、絞り開口位置を安定させることができる。なお、この図においては、絞り羽根に対して係合穴１０５ｃの代わりに係合ピン１０５ｆを設け、カム溝１０５ｄの代わりに駆動ピン１０５ｇを設けることによって、それぞれをベース部材１０２と回動部材１０４とに設けられた係合穴に係合させることで絞り羽根を駆動する態様を示している。
【００２９】
図６には、抑え部材１０７がない場合の羽根駆動装置を備えた光学機器の断面図を示す。この場合には、絞り羽根の編み上がり量を考慮し、絞り羽根とレンズＬｓが接触しないように十分なスペースＬを確保する必要がある。環状に編み込まれた絞り羽根の先端の高さは、羽根の大きさ、厚み、材料、最小絞り径、等の様々な要素により変化するため、計算することは非常に難しかった。そのため、スペースＬには余裕をもった距離を確保する必要があり、場合によっては無駄が大きかった。
【００３０】
図７は、本実施形態１の羽根駆動装置を備えた光学機器の断面図を示す。抑え部材１０７が絞り羽根１０５の編み上がりを抑え込むため、絞り開口位置が光軸方向において安定できることが分かる。また、抑え部材１０７により、絞り羽根１０５の編み上がりを抑えているため、スペースＬ’は、絞り羽根１０５の編み上がりを無視して設定することができる。そのため、スペースＬ’は抑え部材１０７がない場合に比べて大幅に小さくすることが可能である。スペースＬ’を小さくできるため、光学的な設計自由度が増え、光学機器の性能を向上することが可能である。例えば、光学機器においてのズーム倍率を高くすることに貢献できる。
【００３１】
また、実施形態１の羽根駆動装置は、高速駆動にも有効である。従来の羽根駆動装置では、高速で所定の絞り面積に絞り羽根を駆動させた際、固定開口内に進入した絞り羽根の先端がバウンド（羽根先端が固定開口内への方向と固定開口外への方向に交互に動く）してしまうため、絞り羽根が停止して絞り面積が安定するまでに一定の時間を要していた。実施形態１の羽根駆動装置では、絞り羽根１０５の絞り羽根先端が、固定開口内で、抑え部材１０７と隣接しているため、高速駆動させた場合に発生する絞り羽根の先端のバウンドを抑制することができる。抑え部材１０７が絞り羽根１０５に当接して、絞り羽根の動きを規制することができるからである。
【００３２】
高速駆動後に絞り羽根がバウンドすることなく停止するため、実施形態１の羽根駆動装置を搭載した撮像機器では、羽根駆動装置を駆動させてから撮影するまでの時間を短縮することが可能である。特に、大口径の羽根駆動装置では、絞り羽根が大きく、高速駆動させた時の絞り羽根先端のバウンド量が大きいため、抑え部材１０７によるバウンド防止の効果が大きい。
【００３３】
また、抑え部材１０７がない場合には、絞り羽根を停止させるために、一定の時間、駆動部に対して停止させるための電圧を印加していた。実施形態１では停止に使用する電圧の時間を短く、あるいは廃止できるため、消費電力の面も有効である。また、抑え部材１０７がない場合には、絞り羽根先端のバウンドを抑えるために、駆動速度を減速させてバウンドを抑える手法も用いられていた。実施形態１では、最高速で絞り羽根を駆動させても絞り羽根の先端がバウンドしないため、高速駆動に有効である。
【００３４】
さらに、実施形態１は、駆動音に対しても有効である。羽根駆動装置では、高速作動時に、複数の絞り羽根同士の擦れ合い、駆動音が発生する。実施形態１では、抑え部材１０７によって、絞り羽根１０５から発生する駆動音が羽根駆動装置の外に漏れることを防止できる。そのため、実施形態１の羽根駆動装置は静音化に対して有効である。
【００３５】
また、本実施形態の羽根駆動装置では、低速作動時においても静音化に有効である。図１に示すように、複数の絞り羽根１０５は、隣接する絞り羽根の表裏が重なりあうように、環状に編み込んで配置され、絞り羽根の先端側が一方向に編み上がる。図８には、絞り羽根の先端の編み上がり方向が、回動部材１０４とは反対の方向（図８のＡの方向）である例を示す。なお、この図においては、図３の断面図とは異なり、抑え部材１０７が回動部材１０４の駆動ピン１０４ｃを超えて回動部材１０４を覆うように設けられた態様を示しており、抑え部材１０７には駆動ピン１０４ｃに対応する部分にカム溝が設けられている。
【００３６】
絞り羽根１０５は、弾力性のある素材で構成されているため、絞り羽根１０５の先端をＡ方向に編み上がらせ、絞り羽根１０５の先端Ａを抑え部材１０７に当接させると、絞り羽根の先端側とは反対にある係合穴１０５ｃ側では、Ｂ方向に力が発生する。すなわち、回動部材１０４はベース部材１０２側に付勢される。
【００３７】
ここで、回動部材１０４をベース部材１０２側に押圧し、付勢することの効果について説明する。図８において、回動部材１０４と絞り羽根１０５は、ベース部材１０２とカバー部材１０６で形成される駆動スペースｈの中で回動する。回動部材１０４が、駆動スペースｈの中で、ベース部材１０２側に移動したり、カバー部材１０６側に移動することが可能であると、回動部材１０４における被駆動部１０４ｅのギアがピニオンギア１０３と噛み合う際に、ギアの精度やギアの傾きによって、回動部材１０４が、駆動スペースｈの中で振動しながら回転してしまう。その結果、回動部材１０４がベース部材１０２やカバー部材１０６に近付いたり離れたりして、接触したりする現象（バタつき）が騒音の原因となることがある。
【００３８】
実施形態１中の図８では、上述したように、回動部材１０４を回動して絞り羽根１０５の先端側を絞り開口内に進入させる（絞り開口径を絞る）と、回動部材１０４をベース部材１０２側に付勢するため、回動部材１０４が駆動スペースｈ内でベース部材１０２側に移動したり、カバー部材１０６側に移動したりするのを防ぐことができる。すなわち、回動部材１０４のバタつきによる騒音を防止することができる。本実施形態１では、回動部材１０４を絞り羽根１０５によってベース部材１０２側に付勢することが可能であり、静音化することができる。
【００３９】
ここで、抑え部材１０７について、さらに詳細に説明する。抑え部材１０７は、光が通過する光学部材で形成される。例えば、透明な樹脂フィルムで基材を形成し、表面に反射防止コーティングを施す。抑え部材１０７に反射防止コーティングを施すことで、絞り羽根１０５で形成される絞り開口内を通過する光量のロスを小さくすることができる。
【００４０】
反射防止コーティングは、フッ化マグネシウム等による単層膜であってもよいし、多層膜であってもよい。また、抑え部材１０７にＮＤフィルタやＩＲカットフィルタ等の機能を付与してもよい。抑え部材１０７は、絞り羽根１０５の編み上がりを抑えるだけでなく、用途に合わせて、光学性能を追加することが可能である。この構成によれば、新たなスペースを増やさず、光学性能を向上させることが可能である。
【００４１】
さらに、抑え部材１０７の表面には、表面処理として帯電防止剤を塗布してもよい。帯電防止剤を塗布することで、絞り羽根１０５との摩擦による帯電を減らすことができ、作動負荷の低減が可能である。
【００４２】
さらに、抑え部材１０７の表面には、表面処理として透明な摺動剤（摺動コート）を塗布してもよい。摺動剤を塗布することで、絞り羽根１０５との摩擦を減らすことができ、作動負荷の低減、耐久性の向上が可能である。また、抑え部材１０７と絞り羽根１０５の接触による傷を抑えることが可能である。
【００４３】
また、絞り羽根１０５の形状により、抑え部材１０７に対する作動負荷を低減させることもできる。図９は、絞り羽根１０５の一部に抑え部材１０７との当て部１０５ｅを設けた例である。抑え部材１０７には、絞り羽根１０５の当て部１０５ｅ部が当接する。当て部１０５ｅは、絞り羽根１０５における回動方向先端側の端面に施された面取りの傾斜面であり、絞り羽根１０５と抑え部材１０７との接触位置および他の絞り羽根１０５と重なる回動方向先端側の端面に設けられている。本実施形態においては、絞り羽根１０５において絞り開口の縁を形成する位置から羽根先端に亘って設けられている。
【００４４】
このような当て部１０５ｅを設けることによって、絞り羽根１０５の端面の角が抑え部材１０７に擦れることを低減できるため、抑え部材１０７への傷付きの防止や、耐久性の向上が可能である。
【００４５】
実施形態１では、絞り羽根１０５にカム溝がある例を説明したが、絞り羽根１０５に駆動ピンを設け、回動部材（駆動リング）やベース部材にカム溝を設けて、絞り羽根が固定開口内外に出入りする構成としてもよい。複数の絞り羽根を環状に組込み、絞り羽根の編み上がりが発生するあらゆる羽根駆動装置において、有効である。
【００４６】
＜実施形態２＞
図１０には、本発明の実施形態２である羽根駆動装置としての絞り装置の分解斜視図を示す。図１０の（Ａ）、（Ｂ）はそれぞれ異なる方向から見た分解斜視図である。羽根駆動装置の光軸中心２００の周囲を絞り装置が駆動される。基本構成は実施形態１と同じである。
【００４７】
図１１は、実施形態２の斜視図を示す。複数の絞り羽根２０５は、ベース部材２０２の方向に編み上がり、抑え部材２０７により抑えられる。図１２は、複数の絞り羽根２０５と抑え部材２０７の状態を抜粋して表した図である。抑え部材２０７が絞り羽根２０５の編み上がりを抑え込むため、絞り開口位置を光軸方向に対して安定させることができる。
【００４８】
抑え部材２０７は、遮光部位２０７ｋと抑え部位２０７ｇを有する。遮光部位２０７ｋは、光を遮光する蒸着膜である。遮光部位２０７ｋは、遮光性のほかに反射防止機能を有することが好ましい。遮光部位２０７ｋは環状に蒸着され、遮光部位２０７ｋの内側には、光を通過させる光学部位である抑え部位２０７ｇが形成される。遮光部位２０７ｋと抑え部位２０７ｇの境界を円形にすることで、固定開口２０７ａが形成される。
【００４９】
図１３に抑え部材２０７の断面図を示す。また、図１４に抑え部材２０７がない場合の固定開口２０２ａの断面図を示す。この場合には、固定開口の端面２０２ａは、樹脂成形などで形成していたため、一定の厚みが必要となっていた。実施形態２では、固定開口２０７ａを蒸着膜で形成するため、図１３に示すように、固定開口２０７ａの端面を膜厚レベルまで薄くすることができる。そのため、固定開口の端面での光の反射を抑えることができ、レンズ等で問題となるゴーストを低減することができる。
【００５０】
＜実施形態３＞
図１５には、本発明の実施形態３である羽根駆動装置の一例である羽根駆動装置としての絞り装置の分解斜視図を示す。図１５の（Ａ）、（Ｂ）はそれぞれ異なる方向から見た分解斜視図である。羽根駆動装置の光軸中心３００の周囲を絞り装置が駆動される。基本構成は実施形態１、２と同じであるが、実施形態３では、実施形態１、２の抑え部材の機能を駆動リング３０４に備えるように構成している。すなわち、駆動リング３０４に対して抑え部材を一体に設けている。
【００５１】
図１６は、実施形態３の斜視図である。図１７は、複数の絞り羽根３０５と駆動リング３０４の状態を抜粋して表した図である。実施形態３の駆動リング３０４は、抑え部位３０４ｇと遮光部位３０４ｋを有する。抑え部位３０４ｇと遮光部位３０４ｋの詳細と効果は、実施形態２と同様である。
【００５２】
複数の絞り羽根３０５は、ベース部材３０２の方向に編み上がり、駆動リング３０４の抑え部位３０４ｇにより抑えられる。駆動リング３０４の抑え部位３０４ｇが絞り羽根３０５の編み上がりを抑え込むため、絞り開口位置を光軸方向に対して安定させることができる。
【００５３】
このように、実施形態３は、駆動リング３０４に抑え機能を追加させることで、部品数を増やすことなく、絞り羽根３０５の編み上がりを抑えることができる。
【００５４】
また、図１８は、駆動リング３０４の応用形状を示す。実施形態１では、駆動リングの位置検知に、遮光部１０４ｆと不図示のフォトインタラプタを使用した。図１８の駆動リングでは、遮光部位３０４ｋに複数のスリット形状３０４ｓを設け、それに対応する位置にフォトインタラプタを設けた。
【００５５】
駆動リング３０４を回転させると、フォトインタラプタ等の出力はスリット有り無しの回数を検知するため、駆動リング３０４の回転量および位置を検出することが可能である。また、スリット形状３０４ｓは、蒸着等によって形成されるため、駆動リングの外形でスリットを形成させる場合に比べて、細いスリットを形成することができる。そのため、高い位置精度を実現することが可能である。
【００５６】
実施形態１では、初期位置をフォトインタラプタで検出し、ステッピングモータのステップ数で絞り位置を検出していたが、駆動リング３０４にスリット形状３０４ｓを設けることで、初期位置だけでなく絞り位置を知ることが可能である。そのため、本実施形態では、ピエゾ素子など駆動距離の安定しない駆動部を使用しても正確な絞り位置を制御することが可能である。これにより、搭載できる駆動部の条件が緩和されるため、小型な駆動部を搭載することが容易になり、絞り装置の全体の小型化、薄型化が可能になる。
【００５７】
＜実施形態４＞
図１９には、本発明の実施形態４である羽根駆動装置としての絞り装置の分解斜視図を示す。羽根駆動装置の光軸中心４００の周囲を絞り装置が駆動される。図２０は、実施形態４の斜視図である。実施形態４は、実施形態１〜３で記述した抑え部材の機能をカバー部材４０６に備えさせた例である。抑え部材の詳細と効果は、実施形態１〜３と同様であり、抑え部位４０６ｇと遮光部位４０６ｋを有する。複数の絞り羽根４０５は、カバー部材４０６の方向に編み上がり、カバー部材４０６により抑えられる。ベース部材４０２との間に絞り羽根４０５を移動可能に収容するカバー部材４０６が、絞り羽根４０５の編み上がりを抑え込むため、絞り開口位置を光軸方向に対して安定させることができる。
【００５８】
このように、実施形態４は、カバー部材４０６に抑え機能を追加させることで、部品数を増やすことなく、絞り羽根４０５の編み上がりを抑えることができる。
【００５９】
以上説明した各実施形態においては、抑え部材（抑え部位）を固定開口内の全ての部分に亘って設け、抑え部材には開口を設けないように構成している。抑え部材に開口を有するように構成すると、開口の端面における反射によって図１４で説明したようなゴーストが発生しやすくなるが、この構成によれば、固定開口内、特に絞り開口内に抑え部材による開口が形成されないため、端面反射が起こらず、ゴーストの発生を低減できる。
【００６０】
また、各実施形態においては、絞り羽根を編み込むようにして組み込むことによって編み上がる態様を例に挙げて説明したが、絞り羽根の構成としては必ずしも編み込み状でなくても良く、多数枚の絞り羽根を重ねた構成であっても良い。多数枚の絞り羽根を重ねた構成では、絞り羽根の駆動中の傾きにより、絞り羽根の先端が、固定開口内において、光軸方向に出っ張ることがある。抑え部材があれば、絞り羽根の先端の光軸方向の位置を規制することができるため、多数枚の絞り羽根を重ねる構成においても、小型化に有効である。
【符号の説明】
【００６１】
１０１  絞り駆動部
１０２  ベース部材（地板）
１０３  ピニオンギア
１０４  駆動リング
１０５  絞り羽根
１０６  カバー
１０７  抑え部材
【図１】
2018205477.tif 000003
【図２】
2018205477.tif 000004
【図３】
2018205477.tif 000005
【図４】
2018205477.tif 000006
【図５】
2018205477.tif 000007
【図６】
2018205477.tif 000008
【図７】
2018205477.tif 000009
【図８】
2018205477.tif 000010
【図９】
2018205477.tif 000011
【図１０】
2018205477.tif 000012
【図１１】
2018205477.tif 000013
【図１２】
2018205477.tif 000014
【図１３】
2018205477.tif 000015
【図１４】
2018205477.tif 000016
【図１５】
2018205477.tif 000017
【図１６】
2018205477.tif 000018
【図１７】
2018205477.tif 000019
【図１８】
2018205477.tif 000020
【図１９】
2018205477.tif 000021
【図２０】
2018205477.tif 000022